(57)【要約】【課題】  塑性変形しない硬質材料を使用した曲り智にも適用可能で、調整した角度が経時的に変化してしまうこともなく、しかも、構造も非常に簡素な眼鏡におけるフロント枠の前傾角調整機構を提供すること。【解決手段】  フロント枠１両端に延出して形成された持出部11・11各々に、前記曲り智２の連接部21における前後面の何れか一方を面着して固定する一方、連接部21の前後面の鉛直面に対する前傾角度を異にする複数種の曲り智２・２…を準備して揃えておき、これらの曲り智の中から選択される曲り智２の着脱交換によりフロント枠１の前傾角を調整可能とした。【選択図】  図１
2008051837.tif 000002
【特許請求の範囲】
【請求項１】
装用者の視力を矯正し又は網膜を保護するためのレンズＬを装着したフロント枠１と、このフロント枠１に接続される連接部21、及び連接部21の後方に屈曲した側部22から成る左右の曲り智２・２と、当該曲り智２・２の後端に連結される一対のテンプル３・３とを少なくとも備えて構成される眼鏡において、
前記フロント枠１両端に延出して形成された持出部11・11各々に、前記曲り智２の連接部21における前後面の何れか一方を面着して固定する一方、連接部21における前後面の鉛直面に対する前傾角度の異なる複数種の曲り智２・２…を準備して揃えておき、これらの曲り智２・２…の中から選択される曲り智２の着脱交換によりフロント枠１の前傾角を調整可能であることを特徴とする眼鏡におけるフロント枠の前傾角調整機構。
【請求項２】
フロント枠１の持出部11に凸部13が、曲り智２の連接部21に凹部23が相互に嵌合可能に設けられて、面着した持出部11と連接部21との横方向のズレを制止していることを特徴とする請求項１記載の眼鏡におけるフロント枠の前傾角調整機構。
【請求項３】
フロント枠１の持出部11と曲り智２の連接部21とに貫通孔が穿設され、この貫通孔に通したボルト材をナットで固定して両者を接続する一方、曲り智２の貫通孔周縁には、ボルト材の頭部が曲り智２の前面に突出しないように沈み穴が設けられていることを特徴とする請求項１または２に記載の眼鏡におけるフロント枠の前傾角調整機構。
【発明の詳細な説明】
【技術分野】
【０００１】
本発明は、眼鏡におけるフロント枠の前傾角調整機構の改良、詳しくは、塑性変形しない硬質材料から成る曲り智にも適用することができ、調整した角度が経時的に変化してしまうようなこともなく、しかも、構造も非常に簡素な眼鏡におけるフロント枠の前傾角調整機構に関するものである。
【背景技術】
【０００２】
周知のとおり、眼鏡においては、リムによる視界の阻害やレンズ度数の違和感を解消するために、フロント枠の前傾角を調整してフロント枠及びレンズが眼球に対して最適な位置関係となるようにする必要がある。
【０００３】
そして、従来においては、このようなフロント枠の前傾角の調整に関して、眼鏡フレームの曲り智を軸回り方向に捻り変形させることによって、フロント枠の前傾角を変更する方法が知られている（例えば、特許文献１参照）。
【０００４】
しかしながら、上記従来のフロント前傾角の調整方法は、可塑性を有した金属又は合成樹脂材料から成る曲り智を前提としていたため、塑性変形しない木材や鼈甲等から成る曲り智には適用することができなかった。
【０００５】
また、＜特許文献２＞にあるように、眼鏡フレームの曲り智に超弾性合金を用いていた場合には、捻り変形した曲り智が経時的に元の状態へと変化してしまい、良好な視界を保持することが難しかった。
【０００６】
一方、従来においては、＜特許文献３＞にあるように、ヒンジ連結部分にフロント枠の前傾角を調整できる機構を設けたものも公知となっているが、眼鏡の構造が複雑になって故障が起こり易いだけでなく、精緻な構造を要求されたことから製造コストも非常に高く付いた。
【特許文献１】登録実用新案第３０８７３４６号公報（第２−３頁、第１〜３図）
【特許文献２】実開平７−２３９４５４８号公報（第２−１１頁、第１〜１５図）
【特許文献３】特開２００５−１１４９７４号公報（第２−１１頁、第１〜１５図）
【発明の開示】
【発明が解決しようとする課題】
【０００７】
本発明は、上記の如き問題に鑑みて為されたものであり、その目的とするところは、フロント枠の前傾角調整を容易に行えることは勿論、更に一歩進んで、塑性変形しない硬質材料を使用した曲り智にも適用可能で、調整した角度が経時的に変化してしまうこともなく、しかも、構造も非常に簡素な眼鏡におけるフロント枠の前傾角調整機構を提供することにある。
【課題を解決するための手段】
【０００８】
本発明者が、上記課題を解決するために採用した手段を添付図面を参照して説明すれば次のとおりである。
【０００９】
即ち、本発明は、装用者の視力を矯正し又は網膜を保護するためのレンズＬを装着したフロント枠１と、このフロント枠１に接続される連接部21、及び連接部21の後方に屈曲した側部22から成る左右の曲り智２・２と、当該曲り智２・２の後端に連結される一対のテンプル３・３とを少なくとも備えて構成される眼鏡において、
前記フロント枠１両端に延出して形成された持出部11・11各々に、前記曲り智２の連接部21における前後面の何れか一方を面着して固定する一方、連接部21の前後面の鉛直面に対する前傾角度を異にする複数種の曲り智２・２…を準備して揃えておき、これらの曲り智２・２…の中から選択される曲り智２の着脱交換によりフロント枠１の前傾角を調整可能とした点に特徴がある。
【００１０】
また、本発明においては、上記課題を解決するために、必要に応じて上記手段に加え、フロント枠１の持出部11に凸部13を、曲り智２の連接部21に凹部23を相互に嵌合可能に設けて、面着した持出部11と連接部21との横方向のズレを制止するという技術的手段を採用することができる。
【００１１】
また、本発明においては、上記課題を解決するために、必要に応じて上記手段に加え、フロント枠１の持出部11と曲り智２の連接部21とに貫通孔を穿設し、この貫通孔に通したボルト材をナットで固定して両者を接続する一方、曲り智２の貫通孔周縁には、ボルト材の頭部が曲り智２の前面に突出しないように沈み穴を設けるという技術的手段を採用することができる。
【発明の効果】
【００１２】
本発明では、フロント枠の両端に持出部を形成して、この持出部各々に曲り智の連接部の前後面どちらか一方を面着して固定し、更に、この連接部の前後面の鉛直面に対する前傾角度が異なる複数種の曲り智を準備して揃えおき、これらの曲り智の中から選択される曲り智を着脱交換することによって、フロント枠の前傾角を簡単に調整することができるフロント枠の前傾角調整機構を実現した。
【００１３】
また、この前傾角調整機構は、曲り智を塑性変形させる必要がないため、曲り智に塑性変形しない木材や鼈甲等の材料を使用した眼鏡においても適用することが可能である。
【００１４】
さらに、曲り智を変形させる必要がないことから、曲り智に超弾性合金を使用した場合においても調整した前傾角が経時的に変化してしまうこともない。
【００１５】
そして更に、前傾角調整機構は、フロント枠及び曲り智の形状及び接続を利用しているだけであるため、その構造は非常に簡素である。
【００１６】
したがって、本発明により、様々なフレーム材料から成る眼鏡に適用することができ、フロント枠の前傾角を安定的に保持することも可能な機能性に優れた眼鏡を頑丈な構造で経済的に作製することができることから、本発明の実用的利用価値は頗る高い。
【発明を実施するための最良の形態】
【００１７】
『実施例１』
まず、本発明の実施例１について、図１から図４に基いて説明する。まず、符号１で指示するものは、レンズＲを装着するフロント枠であり、符号２で指示するものは、曲り智である。そして、符号３で指示するものは、テンプルである。
【００１８】
しかして、本実施例の構成を以下に説明する。まず、本実施例においては、フロント枠１の両端に延出して持出部11・11を形成し、このフロント枠１に、装用者の視力を矯正し又は網膜を保護するためのレンズＬを装着した（図１、図２参照）。
【００１９】
なお、フロント枠１にはブローバー型のものを採用し、このブローバー12の両端に持出部11・11を形成している。
【００２０】
次いで、フロント枠１に接続される連接部21、及び連接部21の後方に屈曲した側部22から成る左右の曲り智２・２を作製した。
【００２１】
なお、曲り智２の材料には、加工性に優れた金属材料である洋白を使用し、鋳造によって成形した。
【００２２】
また、この曲り智２に関しては、図３に示すように連接部21の前後面の鉛直面に対する前傾角度が異なる複数種の曲り智２・２…を準備して揃えた。
【００２３】
なお、本実施例では、曲り智２における連接部21の前後面の鉛直面に対する前傾角度を一般的とされる[7.00゜,9.00゜,11.00゜]に設定している。
【００２４】
そして、フロント枠１の持出部11・11各々に、選択した曲り智２の連接部21の前面を面着して固定した。
【００２５】
なお、本実施例では、フロント枠１の持出部11と曲り智２の連接部21とに貫通孔を穿設し、この貫通孔にボルト材を通しナットで固定して簡単に両者を接続した（図４参照）。
【００２６】
加えて、フロント枠１の持出部11の後面に凸部13を、曲り智２の連接部21の前面に凹部23を相互に嵌合可能に設けることで、面着した持出部11と連接部21とが横方向にズレないようにした。
【００２７】
そしてさらに、曲り智２・２の側部後端には、一対のテンプル３・３をヒンジ連結して構成した。
【００２８】
上記のように構成したことによって、準備して揃えた複数種の曲り智２・２…の中から選択した曲り智２を着脱交換することによって、フロント枠１の前傾角を簡単に調整することができるフロント枠１の前傾角調整機構を実現した。
【００２９】
また、このフロント枠１の前傾角調整機構は、曲り智２を塑性変形させる必要がないため、曲り智２に不可塑性の木材や鼈甲等の材料を使用した眼鏡においても適用することが可能である。
【００３０】
さらに、曲り智２を変形させる必要がないことから、曲り智２に超弾性合金を使用した場合においても調整した前傾角が経時的に変化してしまうこともない。
【００３１】
そして更に、上記の前傾角調整機構は、フロント枠１及び曲り智２の形状及び接続を利用しているだけであるため、その構造は非常に簡素である。
【００３２】
『実施例２』
次に、本発明の実施例２について図５及び図６に基いて以下に詳細に説明する。本実施例では、フルリム型のフロント枠１両端に持出部11を形成すると共に、フロント枠１の持出部11・11各々には、曲り智２の連接部21の後面を面着して固定した（図５参照）。
【００３３】
そして、フロント枠１の持出部11の前面に凸部13を、曲り智２の連接部21の後面に凹部23を形成して両者を嵌合すると共に、曲り智２の貫通孔周縁に沈み穴を設けてボルト材の頭部が曲り智２の前面に突出しないようにした（図６参照）。
【００３４】
また、曲り智２の材料には、可塑性を有しない竹材を使用し、外面を切削することによって成形を行った。
【００３５】
本発明は、概ね上記のように構成されるが、図示の実施形態に限定されるものでは決してなく、「特許請求の範囲」の記載内において種々の変更が可能であって、例えば、曲り智２の材料には、成形性に優れたアセテート樹脂や高強度のβ−チタン合金、装飾性の高い鼈甲等を用いてもよい。
【００３６】
また、フロント枠１の持出部11と曲り智２の連接部21の接続に関しても、曲り智２を着脱できる構造であるならば、ボルト材を使用しなくとも図７のように突起体とキャップ体による嵌着構造であってもよく、何れも本発明の技術的範囲に属する。
【産業上の利用可能性】
【００３７】
最近では、眼鏡の掛け心地を高めるためのフィッティング調整が非常に重要視されており、その中でも眼鏡フロント枠の前傾角調整は、装用者の視界を向上させるために必要な作業である。ところが、市場においては、前傾角調整を容易にできるようにするために複雑な機構を付加した眼鏡しか見受けられず、構造の簡素さに重点が置かれていなかった。
【００３８】
そのような中で、本発明の眼鏡におけるフロント枠の前傾角調整機構は、前傾角の調整が容易にできることは勿論、構造も非常に簡素で幅広いフレーム材に対して適用できる機能性に優れた技術であることから、市場における需要は大きく、本発明の産業上の利用価値は非常に高いと云える。
【図面の簡単な説明】
【００３９】
【図１】本発明の実施例１におけるフロント枠の前傾角調整機構を表わす全体斜視図である。
【図２】本発明の実施例１におけるフロント枠の前傾角調整機構を表わす拡大上面図である。
【図３】本発明の実施例１におけるフロント枠と曲り智の接続形態を表わす分解斜視図である。
【図４】本発明の実施例１における複数種の曲り智を表わす部分側面図である。
【図５】本発明の実施例２におけるフロント枠と曲り智の接続形態を表わす分解斜視図である。
【図６】本発明の実施例２におけるフロント枠の前傾角調整機構を表わす拡大上面図である。
【図７】本発明の変形例におけるフロント枠と曲り智の接続形態をを表わす分解斜視図である。
【符号の説明】
【００４０】
１  フロント枠
11  持出部
12  ブローバー
13  凸部
14  リム
２  曲り智
21  連接部
22  側部
23  凹部
３  テンプル
４  ボルト材
41  ナット
Ｌ  レンズ
【図１】
2008051837.tif 000003
【図２】
2008051837.tif 000004
【図３】
2008051837.tif 000005
【図４】
2008051837.tif 000006
【図５】
2008051837.tif 000007
【図６】
2008051837.tif 000008
【図７】
2008051837.tif 000009